(57)【要約】【課題】  重力により勝手に伸縮しようとするのを防止したり、開閉力を軽減したりすることのできる伸縮門扉の提供。【解決手段】    複数の縦桟１，１，…と、縦桟を連結する左右方向に伸縮自在なリンク２ａ，２ｂとを備え、リンクは、見込み方向に間隔をおいて配置した第１リンク部材３と第２リンク部材４を有し、第１リンク部材と第２リンク部材との間に付勢部材５が設けてあり、付勢部材はリンク２ａ，２ｂが伸びる方向又はリンクが縮む方向に付勢する。【選択図】      図３
2009287308.tif 000002
【特許請求の範囲】
【請求項１】
複数の縦桟と、縦桟を連結する左右方向に伸縮自在なリンクとを備え、リンクは付勢部材を有し、付勢部材はリンクが伸びる方向又はリンクが縮む方向に付勢していることを特徴とする伸縮門扉。
【請求項２】
リンクは、見込み方向に間隔をおいて配置した第１リンク部材と第２リンク部材を有し、第１リンク部材と第２リンク部材との間に付勢部材が設けてあることを特徴とする請求項１記載の伸縮門扉。
【発明の詳細な説明】
【技術分野】
【０００１】
本発明は、伸縮門扉に関する。
【背景技術】
【０００２】
吊元側と戸先側とで高低差のある傾斜地用の伸縮門扉は、重力により勝手に伸びようとしたり縮もうとしたりする。例えば、戸先側が吊元側よりも高い傾斜地用の伸縮門扉では、門扉を開閉している途中で手を離すと、門扉が勝手に縮もうとする。また傾斜地用のものでなくても、図８，９に示すように、縦桟１，１間の上部を連結する上部リンク２ａに笠木２０が取付けてあり、門扉を縮めたときに笠木２０を跳ね上げるようにした伸縮門扉では、跳ね上げた笠木の自重により門扉が勝手に伸びようとする。また、間口が広く縦桟やリンクの本数も多い大型の伸縮門扉では、門扉を伸縮させるために大きな力が必要になり、力の弱い人は門扉の開閉に苦労することがあった。
【発明の開示】
【発明が解決しようとする課題】
【０００３】
本発明は以上に述べた実情に鑑み、重力により勝手に伸縮しようとするのを防止したり、開閉力を軽減したりすることのできる伸縮門扉の提供を目的とする。
【課題を解決するための手段】
【０００４】
上記の課題を達成するために請求項１記載の発明による伸縮門扉は、複数の縦桟と、縦桟を連結する左右方向に伸縮自在なリンクとを備え、リンクは付勢部材を有し、付勢部材はリンクが伸びる方向又はリンクが縮む方向に付勢していることを特徴とする。
【０００５】
請求項２記載の発明による伸縮門扉は、請求項１記載の発明の構成に加え、リンクは、見込み方向に間隔をおいて配置した第１リンク部材と第２リンク部材を有し、第１リンク部材と第２リンク部材との間に付勢部材が設けてあることを特徴とする。
【発明の効果】
【０００６】
請求項１記載の発明による伸縮門扉は、縦桟を連結する左右方向に伸縮自在なリンクに付勢部材を設け、付勢部材によりリンクが伸びる方向又はリンクが縮む方向に付勢することで、伸縮門扉が勝手に伸縮するのを防止したり、伸縮門扉の開閉を軽くしたりすることができる。付勢部材によりリンクを伸びる方向とリンクが縮む方向のどちら向きに付勢するかは、伸縮門扉を設置する場所の状況や、リンクの形態等に応じて決めればよく、例えば、戸先側が吊元側よりも高い傾斜地用の伸縮門扉では、付勢部材をリンクが伸びる方向に付勢するように設けることで、伸縮門扉が勝手に縮もうとするのを防止し、伸縮門扉を半開きの状態で停止することができる。
【０００７】
請求項２記載の発明による伸縮門扉は、付勢部材を第１リンク部材と第２リンク部材の間に設けることで、付勢部材の取付け、リンクの縦桟への取付けが容易に行える。
【発明を実施するための最良の形態】
【０００８】
以下、本発明の実施の形態を図面に基づいて説明する。図１〜３は、本発明の伸縮門扉の第１実施形態を示している。本伸縮門扉は、図１（ｂ）に示すように、戸先側（左側）が吊元側（右側）よりも高い傾斜地用の伸縮門扉であり、戸先框６と複数の縦桟１，１，…と吊元框７とが左右方向に等間隔をおいて鉛直に配置してあり、左右方向に伸縮自在な上部リンク２ａと下部リンク２ｂにより戸先框６と複数の縦桟１，１，…と吊元框７とを連結している。戸先框６には、左側の支柱８ａへの掛止具９と、操作ハンドル１０とを備えている。戸先框６と中間の縦桟１の下端部には、首振り自在なキャスター１１が取付けてある。吊元框７は、右側の支柱８ｂにヒンジ１２で取付けてあり、図１（ａ）に仮想線で示すように、畳んだ伸縮門扉をヒンジ１２により回動することで、左右の支柱８ａ，８ｂ間の間口を全開できる。
【０００９】
上部リンク２ａと下部リンク２ｂは、左上がりに傾斜する第１リンク部材３と右上がりに傾斜する第２リンク部材４を見込み方向に間隔をおいて配置し、両リンク部材３，４の交差部を見込み方向の軸１３ａ，１３ｂ，１３ｃ，１３ｄで軸着して構成してある。両リンク部材３，４の中央部に位置する軸１３ｃは、縦桟１に固定してある。上部リンク２ａ及び下部リンク２ｂの左右両端に位置する第１リンク部材３と第２リンク部材４の先端部は、戸先框６と吊元框７に上下方向に移動自在に取付けた摺動軸１４ａ，１４ｂに回動自在に連結してある。
【００１０】
第１リンク部材３と第２リンク部材４の下端部を連結している軸１３ａには、図３に示すように、捻りバネ５が遊嵌して設けてあり、捻りバネ５の前後の端部５ａ，５ｂが各リンク部材３，４に係止してある。門扉を縮めてゆくと、図４に示すように、両リンク部材３，４間の角度が小さくなり、それに伴って捻りバネ５が変形して、図中の矢印１５に示すように、各リンク部材３，４を軸１３ａを支点として下方に回動する向きに付勢し、これにより上部リンク２ａと下部リンク２ｂが伸びる方向に付勢される。なお、図３中の符号１６は、軸１３ａに嵌めたスペーサーであり、符号１７は軸１３ａ端部に取付けた軸止め具である。
【００１１】
戸先側が吊元側よりも高い傾斜地用の伸縮門扉では、そのままでは重力により門扉が縮む方向の力が生じ、門扉の開閉途中で操作ハンドル１０から手を離すと、門扉は勝手に縮もうとする。本伸縮門扉は、上述のように第１リンク部材３と第２リンク部材４の間に捻りバネ５を取付け、捻りバネ５により上部リンク２ａと下部リンク２ｂが伸びる方向に付勢していることで、捻りバネ５による門扉を伸ばそうとする方向の力と、重力により門扉が縮もうとする方向の力とが釣り合い、門扉の開閉途中で操作ハンドル１０から手を離しても門扉が勝手に縮むことがなく、戸先框６を任意の位置で停止させ半開き状態を保持できる。
【００１２】
捻りバネ５は、縦桟１に固定してある軸１３ｃのまわりや、リンク部材３，４の上端部を連結している軸１３ｄのまわりに取付けることもできる。図１とは逆に、吊元側が戸先側よりも高い傾斜地用の伸縮門扉では、捻りバネ５をリンク２ａ，２ｂが縮む方向に付勢するように設ける。
【００１３】
図５，６は、本発明の伸縮門扉の第２実施形態を示している。この伸縮門扉は、非傾斜地用の伸縮門扉であり、第１実施形態のものと同様に、戸先框６と複数の縦桟１，１，…と吊元框７とを、左右方向に伸縮自在な上部リンク２ａと下部リンク２ｂとで連結して構成してある。
上部リンク２ａと下部リンク２ｂは、第１実施形態のものと同様に、左上がりに傾斜する第１リンク部材３と右上がりに傾斜する第２リンク部材４とを見込み方向に間隔をおいて配置し、両リンク部材３，４の交差部を見込み方向の軸１３ａ，１３ｂ，１３ｃ，１３ｄで軸着して構成してある。両リンク部材３，４の中央部に位置する軸１３ｃは、縦桟１に固定してあり、両リンク部材３，４の端部を連結している軸１３ａ，１３ｄは、各縦桟１に縦桟の長手方向に沿って移動自在に取り付けてある。
【００１４】
第１リンク部材３と第２リンク部材４の下端部を連結している軸１３ａには、図６に示すように、捻りバネ５が遊嵌して設けてあり、捻りバネ５の前後の端部５ａ，５ｂが各リンク部材３，４に係止してある。捻りバネ５は、図４に示すように、リンク２ａ，２ｂが縮んだときの状態で取付けてあり、リンク２ａ，２ｂが伸びた図６（ａ）の状態では、図中の矢印１５で示すように、各リンク部材３，４を軸１３ａを支点として上方に回動する向きに付勢し、これにより上部リンク２ａと下部リンク２ｂが縮む方向に付勢されている。なお図６中の符号１８は、軸１３ａを縦桟の長手方向に沿って移動自在とするために軸１３ａ端部に取付けたローラーである。
【００１５】
本伸縮門扉は、第１リンク部材３と第２リンク部材４間に取付けた捻りバネ５により、上部リンク２ａと下部リンク２ｂが縮む方向に付勢されていることで、門扉を開ける際に操作ハンドル１０に加える力を軽くすることができる。そのため、力の弱い人でも軽くスムーズに門扉を開けることができる。
【００１６】
図７は、本発明の伸縮門扉の第３実施形態を示している。この伸縮門扉は、戸先框６と複数の縦桟１，１，…と吊元框７とを、１つのリンク２で連結している。リンク２は、第２実施形態の下部リンク２ｂと同様に構成され、下端部の軸１３ａに捻りバネ５が取付けてあり、捻りバネ５はリンク２が縮む方向に付勢している。本伸縮門扉も、捻りバネ５の付勢力が作用することで、門扉を開く際の力を軽くできる。
【００１７】
図８〜１０は、本発明の伸縮門扉の第４実施形態を示している。本伸縮門扉は、図８に示すように、複数の縦桟１，１，…の上部と下部を上部リンク２ａと下部リンク２ｂでそれぞれ連結してあり、縦桟１上に縦桟間で分割して一直線上に配置した笠木２０を備えている。上部リンク２ａは、右上がりに傾斜する第１上部リンク部材２１と、左上がりに傾斜する第２上部リンク部材２２を有し、第１上部リンク部材２１の右側端部と第２上部リンク部材２２の左側端部を交差させて軸２３で連結してあり、第１上部リンク部材２１の左側端部と第２上部リンク部材２２の右側端部は軸２４で縦桟１に連結してある。笠木２０は、第１上部リンク部材２１の右側端部に固定してある。
下部リンク２ｂは、見込み方向に間隔をおいて配置した第１下部リンク部材２５と第２下部リンク部材２６を有している。第１下部リンク部材２５は、左側端部に設けた上向き傾斜部２５ａと、右側端部に設けた下向き傾斜部２５ｂと、両傾斜部を繋ぐ水平部２５ｃとを有し、上向き傾斜部２５ａの先端部を縦桟１の長手方向に沿って移動自在に設けた摺動軸２７に連結してあり、下向き傾斜部２５ｂの先端部を縦桟１に固定した固定軸２８に連結してある。第２下部リンク部材２６は、右側端部に設けた上向き傾斜部２６ａと、左側端部に設けた下向き傾斜部２６ｂと、両傾斜部を繋ぐ水平部２６ｃとを有し、上向き傾斜部２６ａの先端部を縦桟１の長手方向に沿って移動自在に設けた摺動軸２７に連結してあり、下向き傾斜部２６ｂの先端部を縦桟１に固定した固定軸２８に連結してある。第１下部リンク部材２５の水平部２５ｃと第２下部リンク部材２６の水平部２６ｃとは見込み方向に重なっており、中央部を軸２９で回動自在に連結してある。第１・第２上部リンク部材２１，２２の交差部と第１・第２下部リンク部材２５，２６の交差部とは、中間縦桟３０で連結してある。
【００１８】
固定軸２８には、図１０に示すように、捻りバネ５が遊嵌して設けてあり、捻りバネ５の前後の端部５ａ，５ｂが第１・第２下部リンク部材の下向き傾斜部２５ｂ，２６ｂに係止してある。捻りバネ５は、下部リンク２ｂが最も縮んだときの状態で取付けてあり、下部リンク２ｂが伸びた状態では、図中の矢印１５で示すように、第１・第２下部リンク部材２５，２６を固定軸２８を支点として上方に回動する向きに付勢し、これにより下部リンク２ｂが縮む方向に付勢されている。
【００１９】
門扉を縮めたときには、図９に示すように、第１・第２上部リンク部材２１，２２が軸２４を支点として上方に回動して上部リンク２ａが縮み、笠木２０は第１上部リンク部材２１と共に上方に回動する。下部リンク２ｂは、摺動軸２７を上方にスライドさせながら第１・第２下部リンク部材２５，２６が固定軸２８を支点として上方に回動することにより縮む。このとき、そのままでは跳ね上げた笠木２０の自重により門扉が勝手に伸びようとするところ、本伸縮門扉は下部リンク２ｂが捻りバネ５により縮む方向に付勢されていることで、重力により伸びようとする力と捻りバネによる付勢力１５とが釣り合い、任意の長さに縮めて停止させておくことができる。
本実施形態では、第１下部リンク部材と第２下部リンク部材との間に捻りバネ５を設けているが、第１上部リンク部材２１と第２上部リンク部材２２の間に捻りバネ５を設けることもできる。
【００２０】
本発明は以上に述べた実施形態に限定されない。リンクの形態は任意であり、縦桟への固定軸（１３ｃ）が第１・第２リンク部材の長手方向の中央部に位置するものに限らず、固定軸を偏心した位置に設けたものでもよい。捻りバネは、第１リンク部材と第２リンク部材とを連結している任意の軸に取付けることができ、必要に応じて取付ける捻りバネの数や強さを調整できる。また付勢部材として、引っ張りバネや圧縮バネを第１リンク部材と第２リンク部材を繋ぐ形で取付けることもできる。また付勢部材は、縦桟と第１リンク部材との間、縦桟と第２リンク部材との間にそれぞれ設けることもできる。
【図面の簡単な説明】
【００２１】
【図１】（ａ）は本発明の第１実施形態に係る伸縮門扉の平面図であり、（ｂ）は同伸縮門扉の正面図である。
【図２】第１実施形態の伸縮門扉の側面図である。
【図３】（ａ）は図１のＡ部の拡大図であり、（ｂ）は（ａ）のＸ矢視図である。
【図４】門扉を縮めたときの図１のＡ部の拡大図である。
【図５】（ａ）は本発明の第２実施形態に係る伸縮門扉の平面図であり、（ｂ）は同伸縮門扉の正面図である。
【図６】（ａ）は図５のＡ部の拡大図であり、（ｂ）は（ａ）のＸ矢視図である。
【図７】本発明の伸縮門扉の第３実施形態を示す正面図である。
【図８】本発明の伸縮門扉の第４実施形態を示す正面図である。
【図９】第４実施形態の伸縮門扉を途中まで縮めた状態を示す正面図である。
【図１０】図８のＡ−Ａ断面図である。
【符号の説明】
【００２２】
１  縦桟
２  リンク
２ａ  上部リンク（リンク）
２ｂ  下部リンク（リンク）
３  第１リンク部材
４  第２リンク部材
５  捻りバネ（付勢部材）
１５  捻りバネの付勢力
２５  第１下部リンク部材（第１リンク部材）
２６  第２下部リンク部材（第２リンク部材）
【図１】
2009287308.tif 000003
【図２】
2009287308.tif 000004
【図３】
2009287308.tif 000005
【図４】
2009287308.tif 000006
【図５】
2009287308.tif 000007
【図６】
2009287308.tif 000008
【図７】
2009287308.tif 000009
【図８】
2009287308.tif 000010
【図９】
2009287308.tif 000011
【図１０】
2009287308.tif 000012